(57)【要約】      （修正有）【課題】見栄えと視認性を両立した車両用表示装置を提供する。【解決手段】車両用表示装置は、画像を表示する画像表示手段２０と、車両情報を示す文字画像２２，２３と背景画像２１とを画像表示手段２０に画像表示させる制御手段と、を備える。制御手段は、白色または黒色の主領域と、画像表示面の上下左右の少なくとも一端から段階的に彩度が低くなる有彩色の端領域と、を有する背景画像２１を表示手段２０に表示させると共に、主領域及び端領域に重なるように文字画像２２，２３を表示手段２０に表示させた。これにより、外光下においても、見栄えと視認性を両立できた。【選択図】図４
2016150715.tif 000002
【特許請求の範囲】
【請求項１】
画像表示面を有する画像表示手段と、
車両情報を示す文字画像と、前記文字画像の背景である背景画像と、を前記画像表示手段に表示させる制御手段と、を備え、
前記制御手段は、白色または黒色の主領域と、前記画像表示面の上下左右の少なくとも一端から段階的に彩度が低くなる有彩色の端領域と、を有する前記背景画像を前記表示手段に表示させると共に、
前記主領域及び前記端領域に重なるように前記文字画像を前記表示手段に表示させる
ことを特徴とする車両用表示装置。
【請求項２】
前記画像表示手段は透過型液晶表示器からなり、
前記主領域は白色であり、
前記文字画像は黒色である
ことを特徴とする請求項１に記載の車両用表示装置。
【請求項３】
前記制御手段は前記画像表示面の上下に前記端領域を表示させる
ことを特徴とする請求項１または請求項２に記載の車両用表示装置。
【発明の詳細な説明】
【技術分野】
【０００１】
本発明は、走行速度などの車両情報を示す文字とその背景からなる計器画像を表示する車両用表示装置に関する。
【背景技術】
【０００２】
従来、車両用表示装置として、特許文献１に開示されるものがある。この車両用表示装置は、走行速度などの車両情報を示す数字とその背景からなる計器画像を液晶表示器に表示するにあたり、背景となる画像の壁紙の色を曜日または時間帯に応じて変化、あるいは、運転者（ユーザ）が選択可能に構成したものである。
【先行技術文献】
【特許文献】
【０００３】
【特許文献１】特開２０１１−６８３５４号公報
【発明の概要】
【発明が解決しようとする課題】
【０００４】
しかしながら、このような外光（太陽光）が液晶表示器に降り注ぐ環境下で使用される車両用表示装置においては、車両内のインストルメントパネル内に配設される車両用表示装置に比べて車両情報を示す数字とその背景とに高いコントラストが必要とされる。また、外光（太陽光）が液晶表示器に降り注ぐと、その反射光等の影響によって液晶表示器に表示された画像の彩度が損失して運転者に視認されるため、車両情報を示す文字とそれに重なる背景が彩色されていると、両者のコントラストが低下する場合があり視認性が損なわれる虞があった。
このため、車両情報を示す文字とその背景からなる計器画像の背景の色に彩色して計器画像の見栄えを向上させることと、強い外光（太陽光）下では視認性を保つこと、を両立させるのが難しかった。
【０００５】
本発明は、上記実情に鑑みてなされたものであり、見栄えと視認性を両立した車両用表示装置を提供することを目的とする。
【課題を解決するための手段】
【０００６】
本発明に係る車両用表示装置は、画像表示面を有する画像表示手段２０と、車両情報を示す文字画像２２，２３と、前記文字画像２２，２３の背景である背景画像２１と、を前記画像表示手段２０に表示させる制御手段４０と、を備え、前記制御手段４０は、白色または黒色の主領域２１０と、前記画像表示面の上下左右の少なくとも一端から段階的に彩度が低くなる有彩色の端領域２１１と、を有する前記背景画像２１を前記表示手段２０に表示させると共に、前記主領域２１０及び前記端領域２１１に重なるように前記文字画像２２，２３を前記表示手段２０に表示させることを第１の特徴とする。
【０００７】
また、第１の特徴を有する車両用表示装置の前記画像表示手段２０は透過型液晶表示器からなり、前記主領域２１０は白色であり、前記文字画像２２，２３は黒色であることを第２の特徴とする。
【０００８】
また、第１の特徴を有する車両用表示装置の前記制御手段４０は前記画像表示面の上下に前記端領域２１１を表示させることを第３の特徴とする。
【発明の効果】
【０００９】
本発明によれば、見栄えと視認性を両立した車両用表示装置を提供できる。
【図面の簡単な説明】
【００１０】
【図１】本発明の実施形態に係る自動二輪車両用表示装置の正面図。
【図２】同実施形態のＡ−Ａにおける断面図。
【図３】同実施形態の断面図の要部拡大図。
【図４】同実施形態のデジタル表示器（画像表示手段）の表示を示す図。
【図５】同実施形態の背景画像と文字画像の重なりを示す図。
【発明を実施するための形態】
【００１１】
本発明を自動二輪車に搭載される車両用表示装置に適用した一実施形態を、添付図面に基づいて以下に説明する。
【００１２】
車両用表示装置１は、図１，図２に示すように、車両の走行速度を表示するアナログ表示器１０と、他の車両情報を表示するデジタル表示器（画像表示手段）２０と、筐体３０と、制御基板（制御手段）４０と、からなる。
【００１３】
アナログ表示器１０は、図１に示すように、数字と目盛図形からなる指標が形成された文字板（表示板）１１と、文字板１１の指標を回動指示する指針１２と、からなる。文字板１１は、透光性の領域からなる指標１１０と、黒色の遮光性を持つ領域からなる遮光部１１１が形成されている。また、文字板１１には、図２に示すように、指針１２の回動軸を挿通するための開口と、デジタル表示器２０の表示面を視認可能な開口と、が開けられている。
【００１４】
デジタル表示器２０は、ＬＥＤなどの光線を発する発光素子からなるバックライト光源と、透明電極膜が形成された一対の透光性基板に液晶層を封入した液晶セルの前後両面に偏光板を貼着した表示パネルと、を有する透過型液晶表示器からなる。デジタル表示器２０は、図４に示すように、背景画像２１上に、総走行距離２２と、現在時刻２３と、経路案内２４と、残燃料量２５と、を重ねあわせた画像を表示する。
【００１５】
デジタル表示器２０は、図２，図３に示すように画像表示面から所定距離離間して文字板１１の遮光部１１１が画像表示面の端部を覆うように配設されている。これにより、デジタル表示器２０に太陽光ＳＬが照射されても、遮光部１１１に遮られた画像表示面の端部には影Ｓが生じて、影Ｓが生じた画面領域については、太陽光ＳＬの反射によって彩度が損失する虞が低減する。
【００１６】
背景画像２１は、図５（ａ）に示すように、無彩色の白色の主領域２１０と、主領域２１０の上下に配設された有彩色の端領域２１１と、からなる。端領域２１１は、端部から中央に向かって段階的に水色の有彩色から無彩色の白色に近くなるグラデーションからなる。端領域２１１には、遮光部１１１によって生じる影Ｓが落ちて太陽光ＳＬ下においても彩度が損失する虞が主領域２１０に比べ低く、運転者（ユーザ）が色彩を感じやすい。
【００１７】
総走行距離２２，現在時刻２３，経路案内２４，残燃料量２５のそれぞれの文字画像は、主領域２１０とコントラストが高くなるように、無彩色の黒色である。
また、総走行距離２２，現在時刻２３の文字画像は、図５（ｂ）に示すように、縦の長さの４分の１未満の領域が端領域２１１と重なるように配置される。これにより、端領域２１１と重なる文字の部分領域が、太陽光ＳＬの反射によって端領域２１１の彩度が損失し、端領域２１１と端領域２１１と重なる文字の部分領域とのコントラストが低下しても、端領域２１１と重ならない文字の部分領域によって文字の可読性を保つことができる。
【００１８】
筐体３０は、下ケース３１と、透光性カバー３２と、中ケース３３と、からなる。筐体３０は、アナログ表示器１０と、デジタル表示器２０と、を視認可能に収容し、制御基板４０を収容するケース体である。
【００１９】
下ケース３１は、例えばポリカーボネート（ＰＣ）などの樹脂材で成形され、透光性カバー３２と中ケース３３と制御基板４０を支持する。
【００２０】
透光性カバー３２は、例えばポリメタクリル酸メチル樹脂（ＰＭＭＡ）などの透光性樹脂で成形され、アナログ表示器１０とデジタル表示器２０とを透視可能に覆う。
【００２１】
中ケース３３は、例えばＰＣなどの樹脂材で成形され、文字板１１とデジタル表示器２０とを支持する。中ケース３３は、図２，図３に示すように、文字板１１とデジタル表示器２０との間に隙間を設けて、外光（太陽光）ＳＬがデジタル表示器２０に降り注ぐと、文字板１１の遮光部１１１によってデジタル表示器２０の端部に影Ｓが生じるようになっている。
【００２２】
制御基板４０は、車両用表示装置１の全体の動作を制御する回路基板であり、文字板１１の指標部と指針１２を光輝させるＬＥＤ４１と、指針１２を回動する電動機４２と、デジタル表示器２０に画像を表示させるマイクロコンピュータ４２と、が実装されている。
【００２３】
（作用と効果）
以上の構成からなる車両用表示装置１は、画像表示面を有する画像表示手段２０と、車両情報を示す文字画像２２，２３と、前記文字画像２２，２３の背景である背景画像２１と、を前記画像表示手段２０に画像表示させる制御手段４０と、を備え、前記制御手段４０は、白色または黒色の主領域２１０と、前記画像表示面の上下左右の少なくとも一端から段階的に彩度が低くなる有彩色の端領域２１１と、を有する背景画像２１を前記表示手段２０に表示させると共に、前記主領域２１０及び前記端領域２１１に重なるように前記文字画像２２，２３を前記表示手段２０に表示させることを第１の特徴とする。
これによれば、外光（太陽光）が降り注ぎ画像表示手段２０に表示された画像の彩度が損失する虞のある、例えば、自動二輪車に搭載される車両用表示装置においても、文字板（表示板）１１の遮光部１１１によって影Ｓが画像表示手段２０の端部に落ちて、端領域２１１の彩度が外光（太陽光）によって損失する虞が低減できる。そのため、外光（太陽光）下においても端領域２１１が画像表示手段２０に表示される画像全体に彩りを与えて見栄えが向上する。また、端領域２１１に重なる総走行距離２２，現在時刻２３の文字画像は、所定長未満の領域で重なるため、端領域２１１の彩度が外光（太陽光）によって損失した場合においても、総走行距離２２，現在時刻２３の文字の可読性を保つことができ、見栄えと視認性を両立した車両用表示装置を提供できる。
【００２４】
また、第１の特徴を持つ車両用表示装置１の前記画像表示手段２０は透過型液晶表示器からなり、前記主領域２１０は白色であり、前記文字画像２２，２３は黒色であることを第２の特徴とする。
これによれば、画像表示手段２０に白色の背景画像２１上に黒色の総走行距離２２，現在時刻２３の文字２２，２３を表示することで、外光（太陽光）の反射によって総走行距離２２，現在時刻２３の文字２２，２３の見栄えが変化した場合においても、総走行距離２２，現在時刻２３の文字２２，２３の可読性を高く保つことができ、より視認性が高い車両用表示装置を提供できる。
【００２５】
また、第１または第２の特徴を持つ車両用表示装置１の前記制御手段４０は前記画像表示面の上下に前記端領域２１１を表示させることを第３の特徴とする。
これによれば、上方から降り注ぐ外光（太陽光）が遮光部１１１に遮られて生じる影Ｓが端領域２１１の彩度を損失する虞を低減しやすく、画像表示手段２０に表示される画像全体に彩りを与えて見栄えが向上する。
【００２６】
以上、本発明を自動二輪車に搭載される車両用表示装置に適用した一実施形態を説明したが、本発明はこれに限定されるものではなく、本発明の主旨を逸脱しない範囲で実施形態及び図面に変更（構成要素の削除も含む）を加えることができる。
【００２７】
例えば、本発明は自動二輪車両に搭載される車両用表示装置に限らず、バギーやトラクター、自動二輪車などに搭載されるものであってもよい。また、屋根が開放可能なオープンカーなどの乗用車に搭載されるものであってもよい。
【００２８】
例えば、上述した車両用表示装置１は、背景画像２１を無彩色の白色の主領域２１０とし、総走行距離２２，現在時刻２３，経路案内２４，残燃料量２５のそれぞれの文字画像を無彩色の黒色として、両者のコントラストを高めたが、背景画像２１を無彩色の黒色とし、文字画像を無彩色の白色としてもよい。
【００２９】
また、端領域２１１は、主領域２１０の左右に設けるものであってもよいが、主領域２１０の上端に設けることが外光（太陽光）下において彩度が感じられやすいので、外光（太陽光）下においても画像表示手段２０に表示される画像全体に彩りを与える効果が高い。
【００３０】
また、端領域２１１は、水色の有彩色からなるグラデーションとしたが、黄色を除く明度と彩度の高い色（赤や橙など）であればよい。黄色の場合、他の明度と彩度の高い色に比べ、外光（太陽光）下において彩度が感じられ難いため好ましくない。
【００３１】
また、端領域２１１と隣接する遮光部１１１の色を、端領域２１１と同系色とすることで、アナログ表示器１０とデジタル表示器２０の一体感を向上させるようにすると、より見栄えのよい車両用表示装置を提供できる。
【産業上の利用可能性】
【００３２】
本発明は、屋根によって覆われない、あるいは、屋根が開放可能な車両に搭載され、走行速度などの車両情報を示す文字とその背景からなる計器画像を表示する車両用表示装置として好適である。
【符号の説明】
【００３３】
１    ：車両用表示装置
１０  ：アナログ表示器
１１  ：文字板（表示板）
１１０：指標
１１１：遮光部
１２  ：指針
２０  ：デジタル表示器（画像表示手段）
２１  ：背景画像
２１０：主領域
２１１：端領域
２２  ：総走行距離（文字画像）
２３  ：現在時刻（文字画像）
２４  ：経路案内
２５  ：残燃料量
３０  ：筐体
４０  ：制御基板（制御手段）
【図１】
2016150715.tif 000003
【図２】
2016150715.tif 000004
【図３】
2016150715.tif 000005
【図４】
2016150715.tif 000006
【図５】
2016150715.tif 000007